【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
移動端末装置の位置を算出するための方法であって、  少なくとも１つのデジタル・テレビ送信機から、前記移動端末装置において受信されたデジタル・テレビ信号から導出された距離推定値、および移動遠隔通信網の送信機から、前記移動端末装置において受信された信号から導出された距離推定値に基づき、前記移動端末装置の前記位置を推定することを含むことを特徴とする方法。
【請求項２】
前記デジタル・テレビ信号は、第１のタイプの信号であり、前記移動端末装置の前記位置を推定することは、  少なくとも１つのデジタル・テレビ送信機からのデジタル・テレビ信号を前記移動端末装置において受信すること、  前記移動遠隔通信網の送信機からの、デジタル・テレビ信号とは異なる第２のタイプの信号を前記移動端末装置において受信すること、  前記デジタル・テレビ信号の受信された信号に関する伝搬時間を測定すること、  前記第２のタイプの信号の受信された信号に関する伝搬時間を測定すること、  前記伝搬時間の測定値を距離値に換算すること、および  前記距離値を使用して前記移動端末装置の前記位置を推定して、前記デジタル・テレビ信号と前記第２のタイプの信号の両方に基づく位置推定を提供することを含むことを特徴とする請求項１に記載の方法。
【請求項３】
前記伝搬時間の測定値を距離値に換算することは、少なくとも３つの距離値を生成することを含むことを特徴とする請求項２に記載の方法。
【請求項４】
移動端末装置の位置を算出するための方法であって、  少なくとも１つのデジタル・テレビ送信機からのデジタル・テレビ信号を前記移動端末装置において受信すること、  少なくとも１つの他のタイプの送信機からの、デジタル・テレビ信号とは異なる第２のタイプの信号を前記移動端末装置において受信すること、  前記デジタル・テレビ信号の受信された信号に関する伝搬時間を測定すること、  前記第２のタイプの信号の受信された信号に関する伝搬時間を測定すること、  前記伝搬時間の測定値を距離値に換算すること、および  前記距離値を使用して前記移動端末装置の前記位置を推定して、前記デジタル・テレビ信号と前記第２のタイプの信号の両方に基づく位置推定を提供することを含み、  受信されたデジタル・テレビ信号と前記第２のタイプの信号の総数は、３より多く、前記デジタル・テレビ信号の受信された信号に関する伝搬時間を測定することは、第１の信号品質基準に基づいて伝搬時間を測定するために使用する受信されたデジタル・テレビ信号の少なくとも１つを選択することを含み、前記第２のタイプの信号の受信された信号に関する伝搬時間を測定することは、第２の信号品質基準に基づいて伝搬時間を測定するために使用する前記受信された第２のタイプの信号の少なくとも１つを選択することを含むことを特徴とする方法。
【請求項５】
前記第１の信号品質基準と前記第２の信号品質基準の少なくともどちらかは、最小受信信号強度を含むことを特徴とする請求項４に記載の方法。
【請求項６】
第１の信号品質基準に基づいて伝搬時間を測定するために使用する前記受信されたデジタル・テレビ信号の少なくとも１つを選択すること、および第２の信号品質基準に基づいて伝搬時間を測定するために使用する前記受信された第２のタイプの信号の少なくとも１つを選択することは、  前記受信信号のなかから最良の信号品質を有する複数の受信信号であって、少なくとも１つは、デジタル・テレビ信号である複数の受信信号を識別すること、および  前記識別された複数の受信信号だけに関して伝搬時間を測定することを含むことを特徴とする請求項４に記載の方法。
【請求項７】
前記複数の受信信号は、５つ未満の受信信号を含むことを特徴とする請求項６に記載の方法。
【請求項８】
前記第２のタイプの信号は、ＧＰＳ（グローバル・ポジショニング・システム）信号、または移動遠隔通信網のダウンリンク信号であることを特徴とする請求項４に記載の方法。
【請求項９】
デジタル・テレビ信号および前記第２のタイプの信号とは異なる少なくとも１つの第３のタイプの信号を前記移動端末装置において受信すること、および  前記第３のタイプの信号の受信された信号に関する伝搬時間を測定することをさらに含み、 前記距離値を使用して前記移動端末装置の前記位置を推定して、前記デジタル・テレビ信号と前記第２のタイプの信号の両方に基づく位置推定を提供することは、前記距離値を使用して前記移動端末装置の前記位置を推定して、前記デジタル・テレビ信号、前記第２のタイプの信号、および前記第３のタイプの信号に基づく位置推定を提供することを含むことを特徴とする請求項４に記載の方法。
【請求項１０】
前記第３のタイプの信号は、ＧＰＳ（グローバル・ポジショニング・システム）信号であり、前記第２のタイプの信号は、移動遠隔通信網のダウンリンク信号であることを特徴とする請求項９に記載の方法。
【請求項１１】
前記デジタル・テレビ信号の受信された信号に関する伝搬時間を測定すること、および前記第２のタイプの信号の受信された信号に関連する伝搬時間を測定することは、単一の時間測定ユニットを使用して、前記デジタル・テレビ信号と前記第２のタイプの信号の両方に関する前記それぞれの伝搬時間を測定することをさらに含むことを特徴とする請求項２に記載の方法。
【請求項１２】
前記単一の時間測定ユニットは、前記移動端末装置内部に配置され、周波数変換器と相関器回路とを含むことを特徴とする請求項１１に記載の方法。
【請求項１３】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、少なくとも３つの距離推定値に基づいて前記移動端末装置の前記位置を推定することを含むことを特徴とする請求項１に記載の方法。
【請求項１４】
移動端末装置の位置を算出するための方法であって、  少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することを含み、  受信されたデジタル・テレビ信号と少なくとも１つの他のタイプの送信機からの受信された信号の総数は、前記移動端末装置の前記位置を推定する際に使用される距離推定値の数より多く、 前記移動端末装置の前記位置を推定することは、第１の信号品質基準に基づいて前記移動端末装置の前記位置を推定する際に使用される距離推定値を生成するのに使用する前記受信されたデジタル・テレビ信号の少なくとも１つを選択すること、および第２の信号品質基準に基づいて前記移動端末装置の前記位置を推定する際に使用される距離推定値を生成するのに使用する少なくとも１つの他のタイプの送信機からの前記受信された信号の少なくとも１つを選択することをさらに含むことを特徴とする方法。
【請求項１５】
前記第１の信号品質基準と前記第２の信号品質基準の少なくともどちらかは、最小受信信号強度を含むことを特徴とする請求項１４に記載の方法。
【請求項１６】
距離推定値を生成するのに使用する前記受信されたデジタル・テレビ信号の少なくとも１つを選択すること、および距離推定値を生成するのに使用する少なくとも１つの他のタイプの送信機からの前記受信された信号の少なくとも１つを選択することは、  前記受信信号のなかから最良の信号品質を有する複数の受信信号であって、少なくとも１つは、デジタル・テレビ信号である複数の受信信号を識別すること、および  前記識別された複数の受信信号だけに関して距離推定値を生成することを含むことを特徴とする請求項１４に記載の方法。
【請求項１７】
前記複数の受信信号は、５つ未満の受信信号を含むことを特徴とする請求項１６に記載の方法。
【請求項１８】
少なくとも１つの他のタイプの送信機からの前記受信された信号は、ＧＰＳ（グローバル・ポジショニング・システム）信号、または移動遠隔通信網のダウンリンク信号を含むことを特徴とする請求項１７に記載の方法。
【請求項１９】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、少なくとも１つのデジタル・テレビ送信機から、前記移動端末装置において受信されたデジタル・テレビ信号から導出された距離推定値、および第２のタイプの送信機から、前記移動端末装置において受信された信号から導出された距離推定値、および第３のタイプの送信機から、前記移動端末装置において受信された信号から導出された距離推定値に基づき、前記移動端末装置の前記位置を推定することを含むことを特徴とする請求項１４に記載の方法。
【請求項２０】
前記第３のタイプの送信機からの前記受信された信号は、ＧＰＳ（グローバル・ポジショニング・システム）信号を含み、第２のタイプの送信機からの前記受信された信号は、移動遠隔通信網のダウンリンク信号を含むことを特徴とする請求項１９に記載の方法。
【請求項２１】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、前記距離推定値を遠隔位置算出サーバに供給すること、および前記遠隔位置算出サーバから前記移動端末装置の前記位置の前記推定を受け取ることを含むことを特徴とする請求項１に記載の方法。
【請求項２２】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、前記伝搬時間の測定値を遠隔位置算出サーバに供給すること、および前記遠隔位置算出サーバから前記移動端末装置の前記位置の前記推定を受け取ることを含み、 前記伝搬時間の測定値を距離値に換算すること、および前記距離値を使用して前記移動端末装置の前記位置を推定することは、遠隔位置算出回路によって実行されることを特徴とする請求項２に記載の方法。
【請求項２３】
移動端末装置の位置を算出するための方法であって、  少なくとも１つのデジタル・テレビ送信機から、前記移動端末装置において受信されたデジタル・テレビ信号から導出された距離推定値、および前記移動端末装置によって移動遠隔通信網の少なくとも１つの基地局に送信された信号から導出された距離推定値に基づき、前記移動端末装置の前記位置を推定することを含むことを特徴とする方法。
【請求項２４】
前記移動端末装置の前記位置を推定することは、  少なくとも１つのデジタル・テレビ送信機からのデジタル・テレビ信号を前記移動端末装置において受信すること、  前記移動端末装置から前記少なくとも１つの基地局に少なくとも１つの第２のタイプの信号を送信すること、  前記デジタル・テレビ信号の受信された信号に関する伝搬時間を測定すること、  前記少なくとも１つの基地局において受信された前記第２のタイプの信号の送信された信号に関する伝搬時間を測定すること、  前記伝搬時間の測定値を距離値に換算すること、および  前記距離値を使用して前記移動端末装置の前記位置を推定して、前記デジタル・テレビ信号と前記第２のタイプの信号の両方に基づく位置推定を提供することを含むことを特徴とする請求項２３に記載の方法。
【請求項２５】
前記少なくとも１つの基地局は、複数の基地局を含み、  前記複数の基地局に関連するクロック、および前記少なくとも１つのデジタル・テレビ送信機に関連するクロックを同期させることをさらに含むことを特徴とする請求項２４に記載の方法。
【請求項２６】
移動端末装置のための位置算出回路であって、  デジタル・テレビ送信機から受信されたデジタル・テレビ信号を処理するように構成されたテレビ信号処理回路と、  前記デジタル・テレビ送信機とは異なる代替タイプの送信機から受信された測距信号を処理するように構成された第２のタイプの信号処理回路と、  前記デジタル・テレビ送信機の少なくとも１つから受信されたデジタル・テレビ信号から導出された、前記デジタル・テレビ送信機の該少なくとも１つまでの距離推定値、および前記代替タイプの送信機の少なくとも１つの送信機からの受信された測距信号から導出された、前記代替タイプの送信機の該少なくとも１つの送信機までの距離推定値に基づき、前記移動端末装置の位置を推定する位置計算回路とを含み、  受信されたデジタル・テレビ信号と前記代替タイプの送信機の少なくとも１つの送信機からの受信された信号の総数は、前記移動端末装置の前記位置を推定する際に使用される距離推定値の数より多く、  前記位置計算回路は、第１の信号品質基準に基づいて前記移動端末装置の前記位置を推定する際に使用される距離推定値を生成するのに使用する前記受信されたデジタル・テレビ信号の少なくとも１つを選択し、かつ第２の信号品質基準に基づいて前記移動端末装置の前記位置を推定する際に使用される距離推定値を生成するのに使用する前記代替タイプの送信機の少なくとも１つの送信機からの前記受信された信号の少なくとも１つを選択する手段をさらに含むことを特徴とする位置算出回路。
【請求項２７】
移動端末装置のための位置算出回路であって、  デジタル・テレビ送信機から受信されたデジタル・テレビ信号を処理するように構成されたテレビ信号処理回路と、  移動遠隔通信網の基地局へ送信するための測距信号を処理するように構成された第２のタイプの信号処理回路と、  前記デジタル・テレビ送信機の少なくとも１つから受信されたデジタル・テレビ信号から導出された、前記デジタル・テレビ送信機の該少なくとも１つまでの距離推定値、および前記移動端末装置によって移動遠隔通信網の前記基地局に送信された信号から導出された、移動遠隔通信網送信機の前記基地局までの距離推定値に基づき、前記移動端末装置の位置を推定する位置計算回路とを含むことを特徴とする位置算出回路。
【請求項２８】
デジタル・テレビ送信機からデジタル・テレビ信号を受信し、移動遠隔通信網の送信機から測距信号を受信するように構成された受信機と、  前記受信されたデジタル・テレビ信号を処理するように構成されたテレビ信号処理回路と、  前記移動遠隔通信網の送信機から受信された前記測距信号を処理するように構成された第２のタイプの信号処理回路と、  前記デジタル・テレビ送信機の少なくとも１つから受信されたデジタル・テレビ信号から導出された、前記デジタル・テレビ送信機の該少なくとも１つまでの距離推定値、および少なくとも１つの移動遠隔通信網の送信機からの受信された測距信号から導出された、前記少なくとも１つの移動遠隔通信網の送信機までの距離推定値に基づき、前記移動端末装置の位置を推定する位置計算回路とを含むことを特徴とする移動端末装置。
【請求項２９】
前記位置計算回路は、前記距離推定値を遠隔位置算出サーバに供給し、前記遠隔位置算出サーバから前記移動端末装置の前記位置の前記推定を受け取るプロセッサを含むことを特徴とする請求項２８に記載の移動端末装置。
【請求項３０】
前記移動遠隔通信網の送信機は、移動遠隔通信網の基地局を含むことを特徴とする請求項２８に記載の移動端末装置。
【請求項３１】
移動遠隔通信網の前記基地局は、地上基地局であることを特徴とする請求項３０に記載の移動端末装置。
【請求項３２】
前記位置計算回路は、少なくとも３つの距離推定値に基づいて前記移動端末装置の前記位置を推定するための手段をさらに含むことを特徴とする請求項２８に記載の移動端末装置。
【請求項３３】
受信されたデータ信号と少なくとも１つの他のタイプの送信機からの受信された信号の総数は、前記移動端末装置の前記位置を推定する際に使用される距離推定値の数よりも多く、前記位置計算回路は、第１の信号品質基準に基づいて前記移動端末装置の前記位置を推定する際に使用される距離推定値を生成するのに使用する、前記受信されたデジタル・テレビ信号の少なくとも１つを選択し、かつ第２の信号品質基準に基づいて前記移動端末装置の前記位置を推定する際に使用される距離推定値を生成するのに使用する、前記代替タイプの送信機の少なくとも１つの送信機からの受信された信号の少なくとも１つを選択する手段をさらに含むことを特徴とする請求項３２に記載の移動端末装置。
【請求項３４】
前記第１の信号品質基準と前記第２の信号品質基準の少なくともどちらかは、最小受信信号強度を含むことを特徴とする請求項３３に記載の移動端末装置。
【請求項３５】
距離推定値を生成するのに使用する前記受信されたデジタル・テレビ信号の少なくとも１つを選択するため、および前記代替タイプの送信機の少なくとも１つの送信機からの前記受信された信号の少なくとも１つから、前記受信された信号の少なくとも１つを選択するための前記手段は、  前記受信信号のなかから最良の信号品質を有する複数の受信信号であって、少なくとも１つは、デジタル・テレビ信号である複数の受信信号を識別すること、および  前記識別された複数の受信信号だけに関して距離推定値を生成することを含むことを特徴とする請求項３３に記載の移動端末装置。
【請求項３６】
前記複数の受信信号は、５つ未満の受信信号を含むことを特徴とする請求項３５に記載の移動端末装置。
【請求項３７】
前記移動遠隔通信網の送信機からの前記受信された信号は、移動遠隔通信網のダウンリンク信号を含むことを特徴とする請求項３６に記載の移動端末装置。
【請求項３８】
前記位置計算回路は、少なくとも１つのデジタル・テレビ送信機から、前記移動端末装置において受信されたデジタル・テレビ信号から導出された距離推定値、移動遠隔通信網の送信機から、前記移動端末装置において受信された信号から導出された距離推定値、およびデジタル・テレビ送信機と移動遠隔通信網の送信機とは異なる第３のタイプの送信機から、前記移動端末装置において受信された信号から導出された距離推定値に基づき、前記移動端末装置の前記位置を推定するための手段をさらに含むことを特徴とする請求項３３に記載の移動端末装置。
【請求項３９】
前記第３のタイプの送信機は、ＧＰＳ（グローバル・ポジショニング・システム）衛星を含み、前記移動遠隔通信網の送信機は、移動遠隔通信網の基地局を含むことを特徴とする請求項３８に記載の移動端末装置。
【請求項４０】
位置計算回路は、単一の時間測定ユニットを使用して、前記デジタル・テレビ信号と前記受信された測距信号の両方に関する前記それぞれの伝搬時間を測定するための手段をさらに含むことを特徴とする請求項２８に記載の移動端末装置。
【請求項４１】
単一の時間測定ユニットを使用する前記手段は、周波数変換器と、相関器回路とをさらに含むことを特徴とする請求項４０に記載の移動端末装置。
【請求項４２】
移動端末装置の位置を算出するための方法であって、  前記移動端末装置において送信元デジタル・テレビ送信機からのデジタル・テレビ信号を受信し、前記デジタル・テレビ信号は、前記移動端末装置の近辺における少なくとも１つの他の測距情報送信機のＩＤと、前記送信元デジタル・テレビ送信機のタイミングと前記少なくとも１つの他の測距情報送信機のタイミングの間のタイミング関係とを含むこと、  前記受信されたタイミング関係に基づいて前記少なくとも１つの他の測距情報送信機から測距信号を受信すること、および  前記送信元デジタル・テレビ送信機から、前記移動端末装置において受信された前記デジタル・テレビ信号から導出された距離推定値、および前記少なくとも１つの他の測距情報送信機から受信された前記測距信号から導出された距離推定値に基づき、前記移動端末装置の前記位置を推定することを含むことを特徴とする方法。
【請求項４３】
前記少なくとも１つの他の測距情報送信機は、少なくとも１つの他のデジタル・テレビ送信機を含み、前記受信されたタイミング関係に基づいて前記少なくとも１つの他の測距情報送信機から測距信号を受信することは、前記測距信号、前記受信されたタイミング関係に基づいて前記少なくとも１つの他のデジタル・テレビ送信機からデジタル・テレビ信号を受信することを含むことを特徴とする請求項４２に記載の方法。
【請求項４４】
前記少なくとも１つの他のデジタル送信機からデジタル・テレビ信号を受信することは、前記受信されたタイミング関係に基づいて前記少なくとも１つの他のデジタル送信機から前記デジタル・テレビ信号を獲得することを含むことを特徴とする請求項４３に記載の方法。
【請求項４５】
前記少なくとも１つの他のデジタル送信機からの前記デジタル・テレビ信号を表示のためにモニタに供給することをさらに含むことを特徴とする請求項４４に記載の方法。
【請求項４６】
前記少なくとも１つの他の測距情報送信機は、無線通信網に関連する少なくとも１つの送信機を含むことを特徴とする請求項４２に記載の方法。
【請求項４７】
移動端末装置のための位置算出回路であって、  前記移動端末装置において送信元デジタル・テレビ送信機からのデジタル・テレビ信号を受信する受信機であって、前記デジタル・テレビ信号は、前記移動端末装置の近辺における少なくとも１つの他の測距情報送信機のＩＤと、前記送信元デジタル・テレビ送信機のタイミングと前記少なくとも１つの他の測距情報送信機のタイミングの間のタイミング関係を含む受信機と、  前記受信されたタイミング関係に基づいて前記少なくとも１つの他の測距情報送信機からの測距信号を受信する受信機と、  前記送信元デジタル・テレビ送信機から、前記移動端末装置において受信された前記デジタル・テレビ信号から導出された距離推定値、および前記少なくとも１つの他の測距情報送信機から受信された前記測距信号から導出された距離推定値に基づき、前記移動端末装置の位置を推定する位置計算回路とを含むことを特徴とする位置算出回路。
【請求項４８】
前記少なくとも１つの他の測距情報送信機は、少なくとも１つの他のデジタル・テレビ送信機を含み、前記受信された測距信号は、前記少なくとも１つの他のデジタル・テレビ送信機からのデジタル・テレビ信号を含むことを特徴とする請求項４７に記載の回路。
【請求項４９】
前記少なくとも１つの他のデジタル送信機からの前記デジタル・テレビ信号を表示のためにモニタに供給するチューナをさらに含むことを特徴とする請求項４８に記載の回路。
【請求項５０】
前記受信されたタイミング関係に基づいて前記少なくとも１つの他の測距情報送信機から測距信号を受信することは、前記受信されたタイミング関係に基づいて、相関の際に使用されるタイムシフトの数を制限することにより、前記少なくとも１つの他の測距情報送信機に対する相関時間を延長することを含むことを特徴とする請求項４２に記載の方法。
【請求項５１】
前記受信されたタイミング関係に基づいて前記少なくとも１つの他の測距情報送信機からの測距信号を受信する受信機は、前記受信されたタイミング関係に基づいて、相関の際に使用されるタイムシフトの数を制限することにより、前記少なくとも１つの他の測距情報送信機に対する相関時間を延長することを特徴とする請求項４７に記載の回路。
【手続補正２】
【補正対象書類名】明細書
【補正対象項目名】００３３
【補正方法】変更
【補正の内容】
【００３３】  前述したＧＰＳ位置特定技術のケースでは、ＧＰＳ衛星の位置は、時間に対して変化する。このため、ＧＰＳ受信機は、一般に、測距の時刻におけるＧＰＳ衛星の位置を知るために、ＧＰＳ衛星（または地上の正確なＧＰＳ関連ソース）からの正確な時刻測定値を受け取る必要がある。ＧＰＳ受信機と４つのＧＰＳ衛星のそれぞれとの間における測距は、１）各ＧＰＳ衛星によって伝送された信号内で、１０２３チップ長のＧｏｌｄコード・シーケンスの開始点を求めること、２）ビット・エッジの開始時刻を求めること、および３）データ・メッセージの開始時刻を求めることによって行われる。次に、各ＧＰＳ衛星から受信された信号に関する結果の「飛行時間（伝搬時間）」が、距離に換算される。結果の４つの測距値により、ＧＰＳ受信機の位置をｘ、ｙ、およびｚの座標で解くこと、およびＧＰＳ時刻とＧＰＳ受信機の独立したクロックの間における未知の時間差を算出することが可能になる。